(57)【要約】【課題】外部接続用端子穴を備えたコネクタパネルにおいて、端子カバーの耐久性を高め、使用者の端子カバーの開閉操作を容易にするなど。【解決手段】端子カバーとパネル枠と支持板を有し、端子カバーは、弾性部材からなり、蓋部と挿入部と掛止部で形成され、パネル枠は、パネル枠の外観平面と鋭角に傾斜するヒンジ窓が形成されており、支持板は、パネル枠の外観平面と略垂直な平面を有し、端子カバーの開閉操作の際に、パネル枠に形成された前記ヒンジ窓と支持板とにより端子カバーの挿入部がガイドされることを特徴とするコネクタパネルとした。【選択図】図７
2015115511.tif 000002
【特許請求の範囲】
【請求項１】
外部接続用端子穴を備えたコネクタパネルにおいて、
端子カバーとパネル枠と支持板を有し、
前記端子カバーは、弾性部材からなり、蓋部と挿入部と掛止部で形成され、
前記パネル枠は、該パネル枠の外観平面と鋭角に傾斜するヒンジ窓が形成されており、
前記支持板は、前記パネル枠の外観平面と略垂直な平面を有し、
前記端子カバーの開閉操作の際に、前記パネル枠に形成された前記ヒンジ窓と前記支持板とにより前記端子カバーの挿入部がガイドされること
を特徴とするコネクタパネル。
【請求項２】
前記支持板の端部が、前記パネル枠の内部側に形成された凹部に嵌入していること
を特徴とする請求項１に記載のコネクタパネル。
【請求項３】
前記パネル枠に形成されたヒンジ窓の断面形状が、前記端子カバーに形成された掛止部の断面形状と略同一であること
を特徴とする請求項１または請求項２に記載のコネクタパネル。
【発明の詳細な説明】
【技術分野】
【０００１】
本発明は、カメラや電子情報端末等の電子機器に関するものである。
特に、本発明は、外部接続用端子穴を不使用時に塞ぎ、埃等が外部から外部接続用端子穴へ侵入することを防止するコネクタパネルの機構に関する。
【背景技術】
【０００２】
電子機器のコネクタパネルには、外部機器や外部電源との入出力を実行するための単数あるいは複数の外部接続用端子穴が備えられている。
従来、屋外等に持ちだしたり過酷な環境で使用されたりすることも多い電子機器においては、不使用時の外部接続用端子穴への埃等の侵入を防止するため、コネクタパネルにおいて端子カバーにより外部接続用端子穴を塞ぐ機構が採用されている（特許文献１及び特許文献２を参照。）。
【０００３】
使用者の端子カバーの開閉操作により、電子機器内部に対して、端子を機械的・電子的に接続をするための外部接続用端子穴へのアクセスが可能とし、かつ、端子の不使用時には外部接続用端子穴を塞いで外部からの埃等の侵入を防止することができる。
【０００４】
このようなコネクタパネルの機構においては、本来の目的である防塵防滴性能ばかりでなく、端子カバーの開閉操作性も要求される。
【０００５】
従来のコネクタパネルの機構については、次のような、耐久性の課題、端子カバーの脱落による紛失の課題等があった。
【０００６】
特許文献１には、携帯機器においてコネクタ等を覆うためのキャップ（端子カバー）の発明が記載されている。
【０００７】
特許文献１のキャップ（端子カバー）は、ゴムや樹脂で一体成型されており、携帯機器においてコネクタ等（外部接続用端子穴）が配置された箇所の開口部を塞ぐものである。
特許文献１では、キャップ（端子カバー）の形状を工夫することにより、キャップ（端子カバー）の紛失や、破損を防止することを目的としている。
【０００８】
特許文献１の具体的な構成において、キャップ（端子カバー）には、引っ掛け部と、引っ掛け部と反対方向に形成された圧入部とが形成され、ハウジングには引っ掛け部を係止するための係止用開口が形成されている。
【０００９】
そして、特許文献１のキャップ（端子カバー）を携帯機器に取り付ける際には、キャップ（端子カバー）の引っ掛け部を携帯機器のハウジングの係止用開口に係止してから、その後、圧入部をハウジングに押しこみ、ハウジングに対して引っ掛け部と圧入部とで横架させて取り付けるというものである。
【００１０】
これにより、特許文献１のキャップ（端子カバー）では、通常使用時には、携帯機器から簡単に抜けることがないので紛失を防止することができ、通常とは異なる方向に許容範囲以上の力で引っ張った時には携帯機器から完全に外れるようになっているのでキャップの変形や破損を防止することができ、さらにキャップ（端子カバー）の交換を簡単にしている。
【００１１】
特許文献２には、弾性部材からなり、第１及び第２の弾性変形部を備える端子カバーであって、外部接続用端子穴を塞ぐ携帯端末の発明が記載されている。
さらに、第１の弾性変形部は、舌片部を穴状に切り欠いた弾性変形手段であることを特徴としている。
これにより、特許文献２に記載された端子カバーにおいては、取り付け、取り外し作業を簡単に行えることができる。
【先行技術文献】
【特許文献】
【００１２】
【特許文献１】特開平９−１８１６５号公報
【特許文献２】特開２００１−２１０９７２号公報
【発明の概要】
【発明が解決しようとする課題】
【００１３】
しかしながら、特許文献１や特許文献２に記載された端子カバーでは、何れにしても使用者の扱い方・力加減（引抜荷重）次第で端子カバーが外れてしまうという課題が残る。
【００１４】
端子カバーは、防塵防滴性能を考慮すべき携帯機器では、使用途中で紛失しないために、強固に取り付けられていることが重要である。
【００１５】
また、外部接続用端子穴に挿入される端子は、携帯機器の外観平面に対して垂直に挿入するほうが、一般的に使い勝手が良いため、携帯機器に垂直に挿入されることが多い。
【００１６】
そうすると、端子カバーもまた、外観平面に対して垂直に設けられた外部接続用端子穴を塞ぐため、外部接続用端子穴の上方から外観平面に対して垂直に塞がれる。
【００１７】
ここで、外部接続用端子穴を使用する場合には、端子カバーが外部接続用端子穴の上方にあると外部から端子を挿入する際に邪魔となるから、外部接続用端子穴の上方から端子カバーを退けさせる必要がある。このため、従来、端子カバーを柔軟性のある弾性部材で形成し、端子カバーの挿入部を湾曲させることで、端子カバーを外部接続用端子穴の上方から退けるようにしていた。
【００１８】
このような構成とすると、端子カバーの挿入部は、外部接続用端子穴の使用時・不使用時に繰り返し折り曲げられ、さらに、外部接続用端子穴に端子が接続されている時には、端子のケーブル部分等により強く折り曲げられた状態を維持され、これにより疲労で破断するおそれがある。
【００１９】
また、特許文献１や特許文献２に記載された端子カバーのように、端子カバー自体を弾性変形させて挿入して組み付けるようにする場合、端子カバーを紛失しないように強固に取り付けようとするためには端子カバーの弾性力を強くする必要がある。
【００２０】
しかしながら、端子カバーに強い弾性力をもたせると、組み立ての際に、端子カバーを挿入するための強い力が必要となり組立容易性が低下する。さらに、端子カバーの開閉操作時に、端子カバーを湾曲させるため、端子カバーの挿入部を細く形成して柔軟性をもたせようとすると、挿入部の耐久性が低下してしまうおそれがある。
【００２１】
また、特に、特許文献２に記載された発明では、端子カバーの特に挿入部の形状が複雑である。
【００２２】
本発明では、簡単な構成で、端子カバーの形状が複雑でなく、端子カバーの挿入部がコネクタパネルから外れにくく、端子カバーの耐久性が確保され、外部接続用端子穴の使用時に端子カバーが邪魔にならない、電子機器のコネクタパネルの機構を提供することを目的とする。
【課題を解決するための手段】
【００２３】
上記課題を解決するため、本出願に係る第１の発明は、外部接続用端子穴を備えたコネクタパネルにおいて、端子カバーとパネル枠と支持板を有し、端子カバーは、弾性部材からなり、蓋部と挿入部と掛止部で形成され、パネル枠は、パネル枠の外観平面と鋭角に傾斜するヒンジ窓が形成されており、支持板は、パネル枠の外観平面と略垂直な平面を有し、端子カバーの開閉操作の際に、パネル枠に形成されたヒンジ窓と支持板とにより端子カバーの挿入部がガイドされることを特徴とするコネクタパネルである。
【００２４】
さらに、第２の発明は、支持板の端部が、パネル枠の内側に形成された凹部に嵌入していることを特徴とする第１の発明のコネクタパネルである。
【００２５】
さらに、第３の発明は、パネル枠に形成されたヒンジ窓の断面形状が、端子カバーに形成された掛止部の断面形状と略同一であることを特徴とする第１の発明または第２の発明のコネクタパネルである。
【発明の効果】
【００２６】
本発明によれば、簡単な構造で、端子カバーが容易に脱落することがなく、耐久性に優れ、端子カバーの開閉操作の操作性が向上したコネクタパネルを提供することができる。
【図面の簡単な説明】
【００２７】
【図１（ａ）】本実施例に係る電子機器のカメラ本体における外部接続用端子穴の周辺を示す図である。
【図１（ｂ）】本実施例に係る電子機器のカメラ本体における外部接続用端子穴の周辺を示す図である。
【図２】パネル枠を示す斜視図である。
【図３】端子カバーを示す斜視図である。
【図４】カメラ本体のＡ−Ａ断面図である。
【図５】カメラ本体のＡ−Ａ断面図である。
【図６】パネル枠の断面図である。
【図７】端子カバーの開閉操作を示す図である。
【発明を実施するための形態】
【００２８】
以下、図面を用いて本発明の実施例について説明する。
本実施例は電子機器に係るものであり、具体的にはカメラ本体について説明するものである。
【００２９】
図１は、本実施例に係る電子機器のカメラ本体における外部接続用端子穴の周辺を示す図である。
図１（ａ）はカメラ本体を背面方向から見た斜視図である。図１（ｂ）はカメラ本体の背面図である。
【００３０】
図１において、１００は電子機器であるカメラ本体を示し、カメラ本体外観の側面部に、外部から端子を接続するための外部接続用端子が備えられたコネクタパネルが設けられていることを図示している。カメラ本体１００のその他の部分に関する詳細な説明は本出願と関係がないため省略する。
なお、本発明が適用される実施の形態はカメラ本体に限られるものではない。
【００３１】
図１において、１０１は外部接続用端子穴、１０２はパネル枠、１０３は端子カバーを示す。図１においては、端子カバー１０３が開き、外部接続用端子穴が外部に対して露出している状態を示している。
【００３２】
本発明のコネクタパネルとは、外部接続用端子穴、パネル枠、端子カバー及び後述する支持板から構成される機構のことを指す。
【００３３】
外部接続用端子穴１０１は、外部から端子を挿入するための穴である。
外部接続用端子穴に外部から挿入される端子としては、記憶媒体である外部メモリ、電子機器への電源供給・充電を行うための電源コネクタ、電子機器とその他周辺機器との音声・映像をやりとりするＡＶコネクタや通信を行うための通信コネクタ等が想定されるが、電子機器に外部から接続されるものであればこれらに限定されるものではない。また、外部接続用端子穴に挿入される端子は、種類によって形状が異なり、本実施例のように複数配置されていることが多い。
【００３４】
パネル枠１０２は、単数あるいは複数の種類の外部接続用端子穴１０１をカメラ本体１００外観の一箇所にまとめ、さらに、外部接続用端子穴１０１以外の余計な内部構造が外部へ露出しないようにするための枠である。パネル枠１０２はカメラ本体１００に対してビス止めされている。
【００３５】
パネル枠１０２には、図２に示すように、外部接続用端子穴１０１の配置やビス止めのための穴１０２ａとは別に、端子カバー１０３の挿入部１０３ｃを挿入するためのヒンジ窓１０２ｂが貫通されている。ヒンジ窓１０２ｂの形状については、後に詳述する。
【００３６】
端子カバー１０３は弾性部材で成型されている。
端子カバー１０３は、図３に示すように蓋部１０３ａと挿入部１０３ｂと掛止部１０３ｃからなる。
【００３７】
蓋部１０３ａは、不使用時の外部接続用端子穴１０１に埃等が侵入することを防止するため、パネル枠１０２により一箇所にまとめられた外部接続用端子穴１０１の全てを一度に塞ぐ部分である。
蓋部１０３ａは、さらに、より異物の侵入を防止して防塵防滴性を高め、また、パネル枠１０２との摩擦力を強めて不用意に開いてしまうことを防止するため、図３に示すように、蓋部１０３ａの閉塞時にパネル枠１０２の内周面に密着する周囲において、突起形状が形成されていることが好ましい。
【００３８】
挿入部１０３ｂは、パネル枠１０２に形成された後述するヒンジ窓に挿入され、ヒンジ窓と後述する支持板によりガイドされることで蓋部１０３ａの開閉操作をせしめ、また、端子カバー１０３がカメラ本体１００から脱落しないようにする部分である。
【００３９】
掛止部１０３ｃは、蓋部１０３ａに対向する挿入部１０３ｂの先端に形成され、パネル枠１０２の内部側でヒンジ窓１０２ｂ周囲に引っ掛かり、端子カバー１０３をカメラ本体１００から完全に脱落させないようにする部分である。
【００４０】
次に、本発明に係る実施例のコネクタパネルの図１（ｂ）におけるＡ−Ａ断面図を図４及び図５に示す。
図４は、図１（ａ）及び図１（ｂ）に示したように、端子カバー１０３が開いた状態でのＡ−Ａ断面図を示し、図５は端子カバー１０３が閉じた状態でのＡ−Ａ断面図を示す。端子カバー１０３の開閉操作については後に詳述する。
【００４１】
図６は、さらに、本発明のパネル枠１０２に形成されたヒンジ窓１０２ｂについて詳細に説明するため、パネル枠１０２の断面形状を示したものである。
【００４２】
本発明では、パネル枠１０２に形成されたヒンジ窓１０２ｂは、パネル枠１０２の外部接続用端子穴１０１が配置される外観平面と鋭角（θ＜９０°）に傾斜するように形成されている。
【００４３】
本発明では、端子カバー１０３を開く際に端子カバー１０３の挿入部１０３ｂをヒンジ窓１０２ｂの傾斜に沿わすことにより、ヒンジ窓１０２ｂに挿入される端子カバー１０３の挿入部１０３ｂはパネル枠１０２の外観平面に対して直角ではなく鈍角（ω１、ω２＞９０°）に曲げられるため、挿入部１０３ｂに係る曲げの応力を小さく抑えることができる。
【００４４】
ひいては端子カバー１０３の開閉操作による、挿入部１０３ｂへの疲労を少なくすることができるため、端子カバー１０３自体の耐久性を向上させることができる。
【００４５】
また、端子カバー１０３の挿入部１０３ｂは、図４及び図５に示すように、パネル枠１０２のヒンジ窓１０２ｂにガイドされると共に、パネル枠１０２の内部側において、支持板１０４にもガイドされる。
パネル枠１０２の内部側とは、すなわち本発明に係るコネクタパネルがカメラ本体１００に設けられている場合にはカメラ本体１００の内部構造のことを指す。
【００４６】
また、支持板１０４の端部は、パネル枠１０２の内部側に形成された凹部１０２ｃに嵌入され、パネル枠１０２に当接もしくは近接している。これによりパネル枠１０２のヒンジ窓１０２ｂが傾斜して形成され外部に対して広く開口されていても、外部からカメラ本体１００の内部機構が見えることはないので、端子カバー１０３を開いている状態であっても美観を損なうことがない。
【００４７】
支持板１０４は、パネル枠１０２の内部側において、パネル枠１０２の外観平面と略垂直な平面を有する形状であれば、それ専用の単体の部材に限定される必要はない。
支持板１０４は、電子機器内部の他の機構に併用する役割を有するような、電子基板の一部であっても良いし、放熱板や単なる内部機構の一部の形状等であっても構わない。
【００４８】
支持板１０４の平面がパネル枠１０２の外観平面と略垂直でない場合、挿入部１０３ｂがパネル枠１０２の内部側において図４及び図５に示すようにまっすぐにはならず負荷がかけられてしまったり、パネル枠１０２のヒンジ窓１０２ｂと支持板１０４で形成される断面形状が大きくなってしまったりするため好ましくない。
【００４９】
次に、本実施例の端子カバー１０３の開閉操作について図７を用いて説明する。
【００５０】
図７（ａ）では、端子カバー１０３の蓋部１０３ａが完全に外部接続用端子穴１０１を塞ぎ、外部から埃等の異物が侵入することを防止している状態を示している。
また、端子カバー１０３の蓋部１０３ａの周囲に形成された突起形状がパネル枠１０２の内周面と密着することにより、より外部接続用端子穴１０１に対する防塵防滴性を高め、また、端子カバー１０３の蓋部１０３ａが不用意に開いてしまうことを防止している。
【００５１】
図７（ｂ）では、端子カバー１０３の蓋部１０３ａが外部接続用端子穴１０１の上方へ開き始めた状態を示している。
蓋部１０３ａはパネル枠１０２との摩擦力により不用意に開くことはないが、使用者により外部からその摩擦力に抗して外力を加えると蓋部１０３ａはパネル枠１０２から外れる。
そして、端子カバー１０３の挿入部１０３ｂは、蓋部１０３ａが外れるに伴って、パネル枠１０２のヒンジ窓１０２ｂとその内部側の支持板１０４の平面によりガイドされ、カメラ本体１００内部から引き出される。
【００５２】
図７（ｃ）では、端子カバー１０３の掛止部１０３ｃがパネル枠１０２の内部側で、パネル枠１０２に掛止されている状態を示している。
端子カバー１０３の挿入部１０３ｂは、その長さ分引き出されるとやがては蓋部１０３ａと対向する先端に形成された掛止部１０３ｃがパネル枠１０２の内部側においてヒンジ窓１０２ｂ周囲で引っかかることによりカメラ本体１００内部から脱落することが阻止される。
【００５３】
掛止部１０３ｃの断面形状は、挿入部１０３ｂの断面形状や、ヒンジ窓１０２ｂと支持板１０４の平面とにより形成される断面形状より大きく形成されている。端子カバー１０３の掛止部１０３ｃの高さは、図６で示されるヒンジ窓１０２ｂと支持板１０４とで形成される断面形状の高さｄよりも大きいため端子カバー１０３は掛止部１０３ｃによりカメラ本体１００から脱落することがない。
【００５４】
図７（ｄ）では、端子カバー１０３の蓋部１０３ａを外部接続用端子穴１０１の上方から退ける状態を示している。
使用者は、外部から端子を挿入する場合には、通常、端子カバー１０３の掛止部１０３ｃが、上記のようにパネル枠１０２の内部側のヒンジ窓１０２ｂ周囲で掛止された後、外部接続用端子穴１０１に目的の端子を接続する。
【００５５】
しかしながら、端子カバー１０３を外部接続用端子穴１０１の上方に引き出した状態だけでは、外部接続用端子穴１０１に目的の端子を挿入することは難しい。
使用者がカメラ本体に対して安定して端子を挿入できるようにするため、カメラ本体１００の外観平面に対して垂直に挿入されるようになっているので、外部接続用端子穴１０１の上方を端子カバー１０３の蓋部１０３ａが覆っているままでは端子を接続しにくい。
【００５６】
そこで、使用者は自然と、邪魔となる端子カバー１０３の蓋部１０３ａを外部接続用端子穴１０１の上方から退けることを要求される。
そのため、端子カバー１０３は、挿入部１０３ｂが湾曲できるように、弾性部材で成形されている。
【００５７】
端子カバー１０３の挿入部１０３ｂを湾曲させた際に、パネル枠１０２のヒンジ窓１０２ｂの傾斜に沿うことは上述したとおりである。
【００５８】
図６に示したとおり、ヒンジ窓１０２ｂはパネル枠１０２の外観平面と鋭角（θ＜９０°）に傾斜するように形成されているため、ヒンジ窓１０２の傾斜した部分の周囲はパネル枠１０２の外観平面に対して鈍角（ω１、ω２＞９０°）となっている。
【００５９】
このため、端子カバー１０３の挿入部１０３ｂが湾曲されても、挿入部１０３ｂにかかる曲げの応力は少なくて済むため、端子カバー１０３の開閉操作や端子の使用時に繰り返し挿入部１０３ｂが曲げられてもより耐久性を高めることができる。
【００６０】
また、傾斜したヒンジ窓１０２ｂの周囲はパネル枠１０２の外観平面に対して鈍角（ω１、ω２＞９０°）となり、これに端子カバーの挿入部１０２ｂが沿って湾曲するので、直角であるよりも挿入部１０３ｂの復元力が弱くなることで蓋部１０３ａを退けやすく外部接続用端子穴１０１を広く開放しやすくなり、使用者は端子カバー１０３の開閉動作が容易となる。
【００６１】
また、端子カバー１０３の挿入部１０３ｂの復元力が弱くなることにより、外部接続用端子穴１０１の上方から退けられた蓋部１０３ａからの端子のケーブル部分等に対してかかる負荷を少なくすることができる。
ケーブル等の端に設けられた端子を外部接続用端子穴１０１に挿入したままで使用する場合には、外部接続用端子穴１０１の上方にほぼ垂直に伸びるケーブル部分等に端子カバー１０３の蓋部１０３ａがあたってしまうので、ケーブル部分等に当たる蓋部１０３ａからの負荷が小さいほうがケーブル等に負担を与えることが少なくなり有利である。
【００６２】
次に、本実施例に係るコネクタパネルの組立方法について説明する。
【００６３】
パネル枠１０２に形成された傾斜したヒンジ窓１０２ｂ自体の断面形状は、端子カバー１０３の掛止部１０３ｃの断面形状と同等若しくはそれよりも大きく設計されている。すなわち、端子カバー１０３の掛止部１０３ｃの断面形状の高さは、図６に示されたパネル枠１０２のヒンジ窓１０２ｂ自体の断面形状の高さＤと比較して同等かそれより小さい。
そのため、組立時において、端子カバー１０３の掛止部１０３ｃはパネル枠１０２のヒンジ窓１０２ｂに容易に通すことができる。
【００６４】
したがって、組立時にパネル枠１０２に形成されたヒンジ窓１０２ｂに端子カバー１０３の掛止部１０３ｃ及び挿入部１０３ｂを通し、その後、パネル枠１０２の凹部１０２ｃにと支持板１０４の端部を嵌合させ、当接もしくは近接させることで、端子カバー１０３の掛止部１０３ｃがヒンジ窓１０２ｂと支持板１０４の平面とで形成される断面形状に掛止されることとなり、容易に本実施例のコネクタパネルを組み立てることができる。
【００６５】
また、こうすることで、例えば、端子カバーの掛止部を弾性変形させてヒンジ窓に無理にねじ込んだりする組立作業も発生しないので、端子カバーの形状に自由度を与えることができ、端子カバーがコネクタパネルから外れないように設計することも容易となる。
【００６６】
以上のとおり、本発明によれば、端子カバーがコネクタパネルから外れなく、端子カバーの耐久性を高めることができ、使用者による端子カバーの開閉操作が容易で、組立容易性に優れたコネクタパネルを実現することができる。
【図１（ａ）】
2015115511.tif 000003
【図１（ｂ）】
2015115511.tif 000004
【図２】
2015115511.tif 000005
【図３】
2015115511.tif 000006
【図４】
2015115511.tif 000007
【図５】
2015115511.tif 000008
【図６】
2015115511.tif 000009
【図７】
2015115511.tif 000010